(57)【要約】      （修正有）【課題】より実感のある安価な装着型注射採血手技練習模型を提供する。【解決手段】人体の血管を模擬した細管状の内腔部４を設けた皮下組織もしくは筋肉組織を模擬した軟質の肉厚部材１と、その下面に線径が０．０８〜０．１２ｍｍの金属平織２又はプラスチック網及び台紙３を順次貼着、積層したことを特徴とする。【選択図】図１
0003206668.tif 000002
【実用新案登録請求の範囲】
【請求項１】
人体の血管を模擬した細管状の内腔部を設けた皮下組織もしくは筋肉組織を模擬した軟質の肉厚部材と、その下面に線径が０．０８〜０．１２ｍｍの金属平織又はプラスチック網及び台紙を順次貼着、積層したことを特徴とする装着型注射採血手技練習模型。
【請求項２】
前記金属平織の目開きが１００メッシュ程度で織り厚が０．２ｍｍである請求項１記載の装着型注射採血手技練習模型。
【請求項３】
前記台紙面に該装着型注射採血手技練習模型を人体又は人体模型の所要個所に着脱自在に装着するための取付け部材を設けたことを特徴とする請求項１又は２に記載の装着型注射採血手技練習模型。
【請求項４】
前記細管状の内腔部の端部に弾性チューブを挿入することを特徴とする請求項１ないし３の何れかの項に記載の装着型注射採血手技練習模型。
【請求項５】
前記細管状の空腔部は金属の棒を軟質の肉厚部成型型内に挿入し、肉厚部成形後前記金属棒を引き抜くことによって形成されたものであることを特徴とする請求項１ないし４の何れかの項に記載の装着型注射採血手技練習模型。
【考案の詳細な説明】
【技術分野】
【０００１】
本考案は採血、静脈注射、点滴等の血管注射を練習するため人体に装着して注射針を刺入する技術を取得するための装着型注射モデルに関する。
【背景技術】
【０００２】
従来から注射もしくは採血等の手技を修得するため手技練習モデルが用いられている。その手技練習モデルとして、例えば特許文献１（実公昭５７−２２１９５号公報）には「静脈を形成する管が配設された人体腕部模型と、模擬血液等の液体を蓄える貯液槽と、この貯液槽内の液体を、前記管を経て貯液層に循環させる循管路と、前記貯液槽の液体を前記管路に送り込む送液ポンプとを備えた静脈注射教習具」が開示されている。また、特許文献２（実開平５−２７７７６号公報）には「人体の皮膚を模擬した軟質の薄皮状部材と、該薄皮状部材の一方の面に配設された皮下組織もしくは筋肉組織を模擬した軟質の肉厚部材とその下部の保護部材からなる帯状の装着型注射採血手技練習模型であって、前記肉厚部材中に血管を模擬した人体注射採血部模擬部を埋設すると共に、その両端部に人体または人体模型の所要個所に着脱自在に装着するための取付け部とを備えたことを特徴とする装着型注射採血手技練習模型」が、そして、特許文献３（実公平５−１４２９３号公報）には「血管注射を練習するための器具であって、弾性体を素材とし、表層部内に複数の血管模倣弾性チューブが埋設された模倣上腕体と、血管模倣弾性チューブ内への注射針を刺入位置の正誤の判定表示部とを備え、前記模倣上腕体は、血管模倣弾性チューブに注射を刺入する位置を上面に示した刺入部と、前記刺入部に近接した位置で弾性チューブに刺入された注射針を感知する感知機構と、弾性チューブの下方に埋設され、チューブを突貫した注射針を受け止めるためのストップ板とを有し、前記判定表示部は、弾性チューブ内の注射針を感知機構が感知した時に点燈するランプを盤体に設けたことを特徴とする、血管注射針練習器。」が記載されている。
上記のように、従来の手技習得模型は、概ね肉質を模した合成ゴムの中にチューブ状の模擬血管を埋設し、これを針刺し防止用のトレイ状の容器に入れるか或いは保護部材に載せ、これらのトレイ状容器もしくは保護部材を人体又は人体モデルに装着するのであるが、保護部材としては実際には厚み約０．５ｍｍ程度のプラスチックシートを使用しており、従って、いずれの場合も硬く、合成ゴムの肉質を模した針刺部位が人体に近い柔らかさがあっても底が硬いものとなり、装着感、密着感に欠けるという欠点があった。
【０００３】
更に、従来の注射モデルでは血管に模した合成ゴムよりなる合成ゴムチューブを肉質部に埋設しているので、肉質部を刺通した針が模擬血管を刺通するとき、その感触は異なる。ところが、解剖学上静脈には血管壁が無く、血管壁が存在するのは動脈で合成ゴムのチューブに針を刺すのは人体静脈への注射した感覚とは程遠く、従って、合成ゴムチューブが埋設されている肉質部よりなる注射モデルは静脈血管への注射モデルとは言い難い。しかも、チューブ自体の肉厚のためこれを埋設したモデル本体も厚くなる。
また、従来の練習モデルには所定部位への装着機能をもたないものがあり、このような練習モデルを使用するには手技を受ける者が練習モデルを保持することになるため、不自然な位置、姿勢で患者に注射角度や針の打ち方などを練習することとなり現実の実施場面からはほど遠く、患者への関心も減弱することになる。そして、従来の練習モデルは人体の特定部位の忠実な模型にまで仕上げる必要があるため、高価になるという欠点があった。
【先行技術文献】
【特許文献】
【０００４】
【特許文献１】実公昭５７−２２１９５号公報
【特許文献２】実開平５−２７７７６号公報
【特許文献３】実公平５−１４２９３号公報
【考案の概要】
【考案が解決しようとする課題】
【０００５】
本考案者らはこれらの欠点を改良すべく種々検討した結果、本考案を完成したもので、本考案はより実感のある安価な装着型注射モデルを提供することを目的とする。
【課題を解決するための手段】
【０００６】
本考案の要旨は、人体の血管を模擬した細管状の内腔部を設けた皮下組織もしくは筋肉組織を模擬した軟質の肉厚部材と、その下面に線径が０．０８〜０．１２ｍｍの金属平織又はプラスチック網及び台紙を順次貼着、積層したことを特徴とする装着型注射採血手技練習模型である。
そして、前記金属平織の目開きが１００メッシュ程度で、織り厚が約０．２ｍｍ程度であることが好ましく、また、前記台紙面に該練習模型を人体又は人体模型の所要個所に着脱自在に装着するための取付け部材を設けることが好ましい。
【考案の効果】
【０００７】
本考案においては従来の弾性チューブ状の模擬血管を使用することなく、肉厚部材に直接細管状の内腔を設け、更に、装着者への針刺し貫通を防止するため金属平織り又はプラスチックネットを使用したので、全体として柔軟性に富み、装着者の人体に密着感が良好で、更に金属平織り又はプラスチックネットによって針刺し貫通を防止し、安全性をも確保することが出来る等の効果を奏するのである。
【図面の簡単な説明】
【０００８】
【図１】本考案に係る装着型注射採血手技練習模型の側面図
【図２】本考案に係る装着型注射採血手技練習模型の正面図
【図３】本考案に係る装着型注射採血手技練習模型を人体若しくは人体モデルに装着した説明図
【考案を実施するための形態】
【０００９】
本考案について詳細に説明する。
本考案における皮下組織若しくは筋肉組織を模擬した軟質の肉厚部材としては、人体の皮下組織若しくはか筋肉組織に注射針又は採血針を刺入するときの感触が得られるような適度に軟質で、所要の強度、耐久性、耐熱性、耐薬品性、安全性等を有するものであれば特に制限されない。例えばエチレン・プロピレン共重合体等のオレフィン系ゴム、低密度ポリエチレン、ブチルゴム、軟質ポリ塩化ビニル、アクリル酸エステルの共重合体等のアクリル系ゴム、ポリエステル系エラストマ−、ポリエステルポリウレタン、ポリウレタン、シリコ−ンゴムなどの合成ゴム類や軟質合成樹脂類等の合成ゴム類、軟質合成樹脂類のほか、それらの発泡体、例えばポリウレタンフォ−ムなどが使用される。
【００１０】
そして、肉厚部の全体の厚さとしては約８ｍｍ程度である。この肉厚部の内部に模擬血管に相当する細管状の内腔（以下、これを模擬血管腔という場合がある。）を設ける。この模擬血管腔の径としては静脈に相当する径が好ましく、約４ｍｍ程度であり、従って、表面まで約２ｍｍ程度の肉厚が再現できる。模擬血管腔部の形成方法としては肉厚部材を金型で成型する際、金属の棒を肉厚部成型内に挿入し、ゴム状合成樹脂を成型する。ゴム状合成樹脂の硬化後、金属棒を引き抜くことによってトンネル状の模擬血管腔が形成される。模擬血管腔の本数は特に制限されること無く、１本若しくは数本設けてもよく、その形状は直線状であっても或いは曲線状であっても良い。
本考案では従来品のようなプラスチックチューブ壁による模擬血管壁が無い分肉厚部表面に近く模擬血管腔を成型することが出来、模擬肉質部全体を薄くすることが可能となると共に、注射針を刺通する際の感覚は従来品に比して実体に近いものとすることが出来た。
模擬血管腔の端部には必要に応じてポリエチレンなどの合成樹脂管を肉厚部から管を突設させておくと肉厚部材の外部より模擬血管腔に模擬血液を循環させるに好適である。
【００１１】
本考案における肉厚部材よりなる注射モデルの大きさは注射、採血の対象となる人体部位、体型、体質、性種等に応じて選定できるが、本考案の装着型注射採用手技練習模型を人体あるいは人体模型の所要の各部位、例えば肩部、上腕部、大腿部などに適宜に装着できる充分な、また、個体差に係わらず使用しうる長さと幅を有するのが好ましく、また次に記載する取付け部の形式によっても変わりうるものである。
【００１２】
本考案にかかる手技練習模型の取付け部は、本考案の人体注射採血部位模擬部の両端部それぞれに直接、接着、縫合等により固着することもでき、また人体注射採血部位模擬部に、接着、縫合等により固着したテ−プ、ベルト等の先端部に固定手段を固着した構成とすることもできる。さらに取付け部を肩パット形式とすることによって上腕部から肩部にかけてしっかり装着することができる。
取付け部に使用する材料としては、テ−プ状接合材（例えばマジックテ−プ）、フックなどが挙げられる。本考案においては、上記人体注射採血部位模擬部を所望の部位に適用しうるよう、また個体差等にも充分対処できるように、例えばテ−プ状接合材の一方の固定手段を他方より幅広とし、固定位置を適宜に調節可能とすることが好ましい。
【００１３】
本考案に係る装着型注射採血手技練習模型においては肉厚部の下面に針刺し防止のため金属でありながら柔軟性のある金属平織又はプラスチック網を選択した。従来品の装着型注射採血手技練習模型では針刺し貫通を防止するため硬いプラスチックのトレイ、プラスチックシート若しくは金属シートが使用されており、針刺部位が人体に近い柔らかさがあってもその下面が硬いものとなり、装着感、密着感が無いものとなっている。
本願考案では金属平織又はプラスチック網を使用したことによって柔軟性を保持することが出来た。使用する金属平織又はプラスチック網としては０．０８〜０．１２ｍｍ線径の銅線織物で目開き１００メッシュ程度で注射針は貫通することはなく、針刺し貫通防止目的は十分達せられる。平織物としては厚み０．２ｍｍで金属の板にない柔軟性がある。この金属メッシュを肉厚部材の下面に貼着することにより該練習模型の柔らかさが維持できる。またプラスチック網の場合も同様の網目で針刺し貫通防止目的は十分達せられるが、金属平織若しくはプラスチック網の下面に台紙が存在するので針刺し貫通の防止はより確実になる。
【実施例】
【００１４】
次に本考案に係る装着型注射採血手技練習模型として図面を以て更に具体的に説明する。
図１は本考案に係る手技練習模型の側面図であり、図２はその平面図である。図において、約８ｍｍの肉厚部１の下面に金属平織２を貼着し、更にその下面に台紙３を貼着、積層する。肉厚部１の内部には模擬血管腔４が設けてある。模擬血管腔４の端部には必要に応じてシリコーンチューブ、ポリエチレンチューブ又は塩ビチューブなどのプラスチックチューブ５を突設しておいても良い。図３は当該模型を人体前腕に装着した場合の説明図であり取付け部６によって取り付ける。
【産業上の利用可能性】
【００１５】
本考案に係る装着型注射採血手技練習模型は柔軟性に富み、人体又は人体模型に装着した場合、密着感があり、該模型を使用することによって実態に極めて近い感覚を得ることが出来るので、産業上利用可能性は高い。
【符号の説明】
【００１６】
１  肉厚部      ２  金属平織    ３  台紙    ４    模擬血管腔
５  シリコーンチューブ        ６  取付け部
【図１】
0003206668.tif 000003
【図２】
0003206668.tif 000004
【図３】
0003206668.tif 000005